(57)【特許請求の範囲】
【請求項１】
プロセッサと、関連するメモリとを含むページング・メッセージ・コントローラ（２２３ａ、２２３ｂ、３２３ａ、３２３ｂ）であって、前記プロセッサが、
特定のユーザ機器（ＵＥ）に対するページング・メッセージに関する指示を取得するステップであって、前記指示が、前記ＵＥをページングするためのセルの第１の集合のうちの少なくとも１つの宛先セルにページング・メッセージが送られるべきであることを示す、取得するステップと、
代表ＵＥが属するセルの第２の集合の位置情報を用いて、前記ページング・メッセージを修正するステップであり、該代表ＵＥが前記特定のＵＥとは別のＵＥである、修正するステップと、
前記特定のＵＥをページングするための修正された前記ページング・メッセージを、セルの前記第２の集合に送るステップと、
を行うように構成されており、
セルの前記第２の集合が、ある時間期間に前記特定のＵＥによって訪問されたセルのグループを識別するためのものであり、
前記時間期間が、前記特定のＵＥがＲＡＮに最後に接続されてからの時間である、
ページング・メッセージ・コントローラ（２２３ａ、２２３ｂ、３２３ａ、３２３ｂ）。
【請求項２】
セルの前記第１の集合が、ルーティング・エリアまたはトラッキング・エリアのすべてのセルで構成されている、請求項１に記載のページング・メッセージ・コントローラ（２２３ａ、２２３ｂ、３２３ａ、３２３ｂ）。
【請求項３】
セルの前記第２の集合が、セルの前記第１の集合、セルの前記第１の集合の部分集合、またはセルの前記第１の集合の部分集合でありセルの前記第１の集合よりも小さな部分集合よりも小さい、請求項１に記載のページング・メッセージ・コントローラ（２２３ａ、２２３ｂ、３２３ａ、３２３ｂ）。
【請求項４】
セルの前記第２の集合を、トラッキング・アプリケーション・サーバ（２２１ａ、２２１ｂ、３２１ａ、３２１ｂ）から受け取るように構成されている、請求項１に記載のページング・メッセージ・コントローラ（２２３ａ、２２３ｂ、３２３ａ、３２３ｂ）。
【請求項５】
関連するトラッキング・アプリケーション・サーバ（Ｔ−ＡＳ）（２２１ａ、２２１ｂ、３２１ａ、３２１ｂ）をさらに備えており、前記関連するＴ−ＡＳ（２２１ａ、２２１ｂ、３２１ａ、３２１ｂ）が、セル・レベル位置情報を受け取るステップであって、前記セル・レベル位置情報が、前記特定のＵＥに対してユーザ機器とセル識別子との（ＵＥとセル識別子との）マッピングを識別する、受け取るステップと、前記ＵＥとセル識別子とのマッピングのセル識別子に基づいて前記特定のＵＥに対するセルの前記第２の集合を更新するステップと、を行うように構成されている、請求項１に記載のページング・メッセージ・コントローラ（２２３ａ、２２３ｂ、３２３ａ、３２３ｂ）。
【請求項６】
前記関連するＴ−ＡＳ（２２１ａ、２２１ｂ、３２１ａ、３２１ｂ）が、ユニバーサル・モバイル・テレコミュニケーションズ・システム・テレストリアル無線アクセス・ネットワーク（ＵＴＲＡＮ）インターフェース、ロング・ターム・エボリューション（ＬＴＥ）ネットワーク・インターフェース、またはＩＥＥＥ８０２．１１ネットワーク・インターフェースを介して、前記セル・レベル位置情報を受け取るように構成されている、請求項５に記載のページング・メッセージ・コントローラ（２２３ａ、２２３ｂ、３２３ａ、３２３ｂ）。
【請求項７】
前記指示が、前記ページング・メッセージはルーティング・エリアまたはトラッキング・エリアにおけるセルのリストに送られるべきであることを示しており、前記プロセッサが前記指示を修正するように構成され、そのように修正された前記指示は、前記ページング・メッセージはセルの前記第２の集合に送られるべきであることを示している、請求項１に記載のページング・メッセージ・コントローラ（２２３ａ、２２３ｂ、３２３ａ、３２３ｂ）。
【請求項８】
前記指示が、前記ページング・メッセージはセルの前記第１の集合の第１のセルに送られるべきであることを示しており、前記プロセッサが、セルの前記第１の集合の前記第１のセルがセルの前記第２の集合の要素でもあるかどうかに基づいて、前記特定のＵＥをページングするための前記ページング・メッセージをフィルタリングするように構成されている、請求項１に記載のページング・メッセージ・コントローラ（２２３ａ、２２３ｂ、３２３ａ、３２３ｂ）。
【発明の詳細な説明】
【背景技術】
【０００１】
現代のワイヤレス通信システムは、ユニバーサル・テレコミュニケーション・システム（Universal Telecommunications System）（ＵＭＴＳ）、ロング・ターム・イボリューション（Long Term Evolution）（ＬＴＥ）、およびＷｉＦｉなどのＩＥＥＥ８０２．１１のサービスなど、複数の無線アクセス技術によって特徴付けることが可能である。
【０００２】
マルチモードのユーザ機器（ＵＥ）は、２つ以上の無線アクセス技術と互換可能である性能を有しうる。
【０００３】
ワイヤレス・ネットワークでは、モビリティという観点から、ＵＥは、接続／アクティブ、分離／非アクティブ、またはアイドル／スリープという３つのモードのうちの１つでありうる。定義によると、ＵＥのスイッチがオフである、またはＵＥのスイッチがオンになったばかりで、ネットワークを探して登録しようとしているプロセスにあるときには、ＵＥは分離モードにある。
【０００４】
分離モードにあるときには、ＵＥの位置は知られていない。アクティブ・モードにあるときには、ＵＥはネットワークに登録され、基地局との無線接続を有し、それにより、ワイヤレス・ネットワークはＵＥがどのセルに属しているかを知ることができ、基地局はＵＥとデータを交換することができる。
【０００５】
アイドル・モードでは、ＵＥは、データを送信または受信をしない。アイドル・モードでは、ネットワークにおけるより高いレベルのノード（例えば、ＬＴＥのモビリティ管理エンティティ（Mobility Management Entity）（ＭＭＥ）、およびＵＭＴＳのサービング・ジェネラル・パケット無線サービス・サポート・ノード（Serving General Packet Radio Service Support Node）（ＳＧＳＮ））だけが、ＵＥのおおよその位置を知っている。
【０００６】
ＵＭＴＳにおけるルーティング・エリア、およびＬＴＥにおけるトラッキング・エリアは、ＵＥのおおよその位置を決定するのに用いられる。それぞれのルーティング・エリアまたはトラッキング・エリアは、複数のセルで構成されている。アクティブ・モードでは、ＵＥは、ＵＭＴＳにおける現在のルーティング・エリア識別子またはＬＴＥにおける現在のトラッキング・エリア識別子を記録することにより、それ自身の位置を追跡する。
【０００７】
ＵＥのルーティング・エリアが変化すると、ＵＥは、ＵＭＴＳにおけるＳＧＳＮを更新する。
【０００８】
ＬＴＥにおいて、ＵＥからネットワークへの更新シグナリング・メッセージ（update signaling messages）の数を減らすには、多数の技術が用いられる。ＭＭＥは、それぞれのＵＥについてトラッキング・エリアのリストを記憶する。ＵＥが単にこのリストの中でトラッキング・エリアを変更する場合には、トラッキング・エリア更新プロセスは実行されず、トラッキング・エリア更新メッセージがＵＥにおいて生成されることはない。これは、それぞれのトラッキング・エリアに含まれるセルの数を拡大するのと同じ効果を有する。
【０００９】
ＵＭＴＳとそれ以外の無線アクセス技術はＬＴＥと共存し、ＵＥは複数の無線アクセス技術を扱うことができるので、ＬＴＥは、ルーティング・エリアとトラッキング・エリアとの両方をそれぞれのＵＥに割り当てることによって、シグナリング・メッセージの一部を除くことができる。結果的に、ＵＥが（例えばＵＭＴＳまたはＬＴＥなど複数の異なる無線アクセス技術を用いて）そのルーティング・エリアまたはトラッキング・エリアに属するセルの内部で移動している場合には、更新メッセージは要求されない。新たなデータ・トラフィックがＵＥのために到着すると、ＵＥは、基地局によって両方の無線アクセス技術で同時にページングされ、ＵＥが応答する無線アクセス・ネットワークに応じて、データ・トラフィックがその無線アクセス・ネットワークを通じて送られる。このプロセスは、ＬＴＥでは「アイドル・モード・シグナリング削減機能（IDLE mode signaling reduction function）」と称され、「３ＧＰＰ  ＴＳ  ２３．４０１−ｖ９．４．０，  Ｇｅｎｅｒａｌ  Ｐａｃｋｅｔ  Ｒａｄｉｏ  Ｓｅｒｖｉｃｅ（ＧＰＲＳ）ｅｎｈａｎｃｅｍｅｎｔｓ  ｆｏｒ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）ａｃｃｅｓｓ（リリース９）、２０１０年３月」に規定されている。
【００１０】
ＵＥに対する呼び出し（call）またはメッセージが到着し、ワイヤレス・ネットワークはＵＥがアイドル／スリープ・モードにあることを知っているときには、ネットワークは、ページング・プロセスを用いてＵＥを始動させ、ネットワークとの接続を確立する。ＵＥが分離／非アクティブ・モードにあるときには、ワイヤレス・ネットワークは、ＵＥがどこにあるかに関して正確な情報を有していないため、ページング・プロセスは用いられない。
【先行技術文献】
【特許文献】
【００１１】
【特許文献１】米国特許出願第１３／０２７，２０６号
【非特許文献】
【００１２】
【非特許文献１】３ＧＰＰ  ＴＳ  ２３．４０１−ｖ９．４．０，  Ｇｅｎｅｒａｌ  Ｐａｃｋｅｔ  Ｒａｄｉｏ  Ｓｅｒｖｉｃｅ（ＧＰＲＳ）ｅｎｈａｎｃｅｍｅｎｔｓ  ｆｏｒ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）ａｃｃｅｓｓ（リリース９）、２０１０年３月
【非特許文献２】３ＧＰＰ  ｓｔａｎｄａｒｄｓ  ３ＧＰＰ  ＴＳ  ３６．３００−ｖ９．４．０，Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）Ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）；Ｏｖｅｒａｌｌ  ｄｅｓｃｒｉｐｔｉｏｎ；Ｓｔａｇｅ２（リリース９）、２０１０年６月
【非特許文献３】３ＧＰＰ  ＴＳ  ３６．４１３−ｖ９．３．０，Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）；Ｓ１  Ａｐｐｌｉｃａｔｉｏｎ  Ｐｒｏｔｏｃｏｌ（Ｓ１ＡＰ）（リリース９）、２０１０年６月
【非特許文献４】３ＧＰＰ  ＴＳ  ２３．１９５−ｖ５．４．０  ３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｓｅｒｖｉｃｅｓ  Ａｎｄ  Ｓｙｓｔｅｍ  Ａｓｐｅｃｔｓ；Ｐｒｏｖｉｓｉｏｎ  ｏｆ  Ｕｓｅｒ  Ｅｑｕｉｐｍｅｎｔ  Ｓｐｅｃｉｆｉｃ  Ｂｅｈａｖｉｏｒ  Ｉｎｆｏｒｍａｔｉｏｎ（ＵＥＳＢＩ）ｔｏ  ｎｅｔｗｏｒｋ  ｅｎｔｉｔｉｅｓ（リリース５）、２００９年９月
【発明の概要】
【発明が解決しようとする課題】
【００１３】
ネットワークの性能の有意な部分が、メッセージを信号伝達するのに用いられる。セルラ・ネットワークにおける信号コストを低減するために、例示的実施形態は、ページング・メッセージの負荷を低減し、セルラ・ネットワークの無線アクセス・ネットワークにおける全体的なシグナリング・メッセージの負荷を低減する。例えば、ＬＴＥでは、ＭＭＥが、それぞれのＵＥに対してトラッキング・エリアのリストを維持する。ＵＥがトラッキング・エリアのリストの内部でトラッキング・エリアを変更する場合には、トラッキング・エリアの更新プロセスは行われず、ＵＥでトラッキング・エリア更新メッセージが生成されることはない。このプロセスは、それぞれのトラッキング・エリアに含まれるセルの数を拡大するのと同じ効果を有している。
【００１４】
例示的実施形態は、ＵＥのセル・レベル位置情報を周期的に収集するように構成されたトラッキング・アプリケーション・サーバ（Ｔ−ＡＳ）を開示している。セル・レベル位置情報は、ページング・エリアを縮小するために、ページング・プロセスを開始するネットワーク要素に送信される。セルラ・ネットワークにおけるトラッキング・エリア更新メッセージのための負荷を軽減するため、ＵＥは、二次無線インターフェース（例えば、ＷｉＦｉ）を用いて、自らの位置を、その近傍にありクラスタ・ヘッド（ＣＨ）と称される、選択されたモバイル・ノードに報告する。このように、ＵＥは、一次インターフェースがオフであるか、またはアイドル・モードにあるときには、セル・レベル位置情報を報告することができる。次いで、ＣＨノードがその近傍にあるすべてのノードの代理としてトラッキング・アプリケーション・サーバ（Ｔ−ＡＳ）にコンタクトすることにより、二次無線インターフェースへのトラッキング・エリア・メッセージの大半の負荷が軽減される。
【００１５】
トラッキング・エリア・メッセージの結果として、ページング・エリアが縮小され、よって、トラッキング・エリア・メッセージの高い負荷を生じさせることなく、セルラ・ネットワークにおけるページング・メッセージの負荷が軽減される。
【課題を解決するための手段】
【００１６】
少なくとも１つの例示的実施形態が、ページング・メッセージ・コントローラを開示している。このページング・メッセージ・コントローラは、プロセッサと、関連するメモリとを含む。プロセッサは、ユーザ機器（ＵＥ）に対するページング・メッセージに関する指示を取得することとであって、前記指示が、ＵＥをページングするためのセルの第１の集合のうちの少なくとも１つの宛先セルにページング・メッセージが送られるべきであることを示す、取得することと、その指示に応答して、ＵＥをページングするためのページング・メッセージを、セルの第２の集合のうちの少なくとも１つの宛先セルに送ることとを行うように構成されている。
【００１７】
セルの第１の集合は、ルーティング・エリアまたはトラッキング・エリアのすべてのセルから構成されうる。
【００１８】
セルの第２の集合は、セルの第１の集合、セルの第１の集合の部分集合、またはセルの第１の集合の部分集合であってセルの第１の集合よりも小さな部分集合よりも小さいことがありうる。
【００１９】
ページング・メッセージ・コントローラは、セルの第２の集合をトラッキング・アプリケーション・サーバから受け取るように構成されている。
【００２０】
セルの第２の集合は、ある時間期間においてＵＥによって訪問されたセルのグループを識別するためのものでありうる。この時間期間は、ＵＥがＲＡＮに最後に接続されてからの時間でありうる。
【００２１】
ページング・メッセージ・コントローラは、関連するトラッキング・アプリケーション・サーバ（Ｔ−ＡＳ）をさらに含んでもよく、この関連するＴ−ＡＳは、セル・レベル位置情報を受け取るように構成されている。セル・レベル位置情報は、ＵＥに対してユーザ機器とセル識別子との（ＵＥとセル識別子との）マッピングを識別する。Ｔ−ＡＳは、さらに、ＵＥとセル識別子とのマッピングのセル識別子に基づいてＵＥに対するセルの第２の集合を更新するように構成されている。
【００２２】
関連するＴ−ＡＳは、ユニバーサル・モバイル・テレコミュニケーションズ・システム・テレストリアル無線アクセス・ネットワーク（Universal Mobile Telecommunications System Terrestrial Radio Access Network）（ＵＴＲＡＮ）インターフェース、ロング・ターム・イボリューション（ＬＴＥ）ネットワーク・インターフェース、またはＩＥＥＥ８０２．１１ネットワーク・インターフェースを介してセル・レベル位置情報を受け取るように構成されている。
【００２３】
指示は、ページング・メッセージがルーティング・エリアまたはトラッキング・エリアにおけるセルのリストに送られるべきであることを示すことがありうる。プロセッサは、指示を修正するように構成されている。そのように修正された指示は、ページング・メッセージがセルの第２の集合に送られるべきであることを示す。
【００２４】
指示は、ページング・メッセージがセルの第１の集合の第１のセルに送られるべきであることを示すことがありうる。プロセッサは、セルの第１の集合の第１のセルがセルの第２の集合の要素でもあるかどうかに基づいて、ＵＥをページングするためのページング・メッセージをフィルタリングするように構成されている。
【００２５】
指示は第１のセルに対するページング・メッセージとすることができ、プロセッサは、第１のセルがセルの第２の集合の要素であるときには、このページング・メッセージを送るように構成されている。
【００２６】
プロセッサは、第１のセルがセルの第２の集合の要素ではないときには、ページング・メッセージを抑制するように構成されている。
【００２７】
プロセッサは、ＵＥが少なくとも１つの送られたページング・メッセージを受け取ったかどうかを判断し、その判断においてＵＥが少なくとも１つの送られたページング・メッセージを受け取っていないと判断されるときには抑制される少なくとも１つページング・メッセージを送信するように構成されている。
【００２８】
少なくとも別の例示的実施形態が、無線アクセス・ネットワーク（ＲＡＮ）においてページングを制御する方法を開示している。この方法は、ユーザ機器（ＵＥ）に対するページング・メッセージの指示をページング・コントローラにおいて取得するステップを含む。この指示は、ＵＥをページングするために、少なくとも１つのページング・メッセージをセルの第１の集合の少なくとも１つの宛先セルに送るべきであることを示している。この方法は、さらに、この指示に応答して、ＵＥをページングするためのページング・メッセージを、ページング・コントローラにおいて、セルの第２の集合の少なくとも１つの宛先セルに送るステップを含む。
【００２９】
セルの第１の集合は、ルーティング・エリアまたはトラッキング・エリアのすべてのセルから構成されうる。
【００３０】
セルの第２の集合は、セルの第１の集合、セルの第１の集合の部分集合、またはセルの第１の集合の部分集合であってセルの第１の集合よりも小さな部分集合よりも小さいことがありうる。
【００３１】
セルの第２の集合は、トラッキング・アプリケーション・サーバから受け取られ、ある時間期間においてＵＥによって訪問されたセルのグループを識別する。
【００３２】
この方法は、さらに、トラッキング・アプリケーション・サーバ（Ｔ−ＡＳ）においてセル・レベル位置情報を受け取るステップを含みうる。セル・レベル位置情報は、ＵＥに対するユーザ機器とセル識別子との（ＵＥとセル識別子との）マッピングを識別し、このＵＥとセル識別子とのマッピングのセル識別子に基づいて、ＵＥに対するセルの第２の集合をＴ−ＡＳにおいて更新する。
【００３３】
セル・レベル位置情報は、ユニバーサル・モバイル・テレコミュニケーションズ・システム・テレストリアル・レイディオ・アクセス・ネットワーク（ＵＴＲＡＮ）インターフェース、ロング・ターム・イボリューション（ＬＴＥ）ネットワーク・インターフェース、またはＩＥＥＥ８０２．１１ネットワーク・インターフェースを介して、受け取られる。
【００３４】
指示は、ページング・メッセージがルーティング・エリアまたはトラッキング・エリアにおけるセルのリストに送られるべきことを示すことがありうる。送ることは、指示を修正することを含む。そのように修正された指示は、ページング・メッセージがセルの第２の集合に送られるべきであることを示す。
【００３５】
指示は、第１のセルに対するページング・メッセージであることもあり、送るステップは、第１のセルがセルの第２の集合の要素であるときには、ページング・メッセージを送るステップを含むことがある。
【００３６】
この送るステップは、第１のセルがセルの第２の集合の要素ではないときには、ページング・メッセージを抑制するステップを含みうる。
【００３７】
この方法は、さらに、ＵＥが少なくとも１つの送られたページング・メッセージを受け取ったかどうかを判断するステップと、この判断するステップでＵＥが少なくとも１つの送られたページング・メッセージを受け取らなかったと判断するときには、抑制された少なくとも１つページング・メッセージを送信するステップとを含みうる。
【００３８】
少なくとも１つの例示的実施形態が、無線アクセス・ネットワーク（ＲＡＮ）におけるページング・エリアを縮小させる方法を提供する。この方法は、位置情報をユーザ機器（ＵＥ）から受け取るステップを含む。ＵＥは、一次インターフェースと二次インターフェースとの少なくとも一方を介して通信するように構成され、位置情報を受け取るステップは、位置情報を、二次インターフェースを介して受け取る。この方法は、さらに、位置情報に基づいてＵＥの第１のトラッキング・エリアを決定するステップと、ＵＥに対するページング・メッセージを、一次インターフェースを介して第１のトラッキング・エリアに送信するステップとを含む。
【００３９】
少なくとも１つの別の例示的実施形態が、ページング・メッセージ・コントローラを含むネットワークを提供する。ページング・メッセージ・コントローラは、無線アクセス・ネットワーク（ＲＡＮ）のネットワーク・コントローラから、ページング・メッセージを受け取るように構成されている。ページング・メッセージは第１のトラッキング・エリアを識別し、第１のトラッキング・エリアはＲＡＮの標準において定義される。ページング・メッセージ・コントローラは、ページング・メッセージにおける第１のトラッキング・エリアを第２のトラッキング・エリアに変更するように構成されている。第２のトラッキング・エリアは、ユーザ機器（ＵＥ）の位置情報に基づく。ＵＥは、一次インターフェースと二次インターフェースとの少なくとも一方を介して通信するように構成されている。位置情報は、二次インターフェースを介して送信される。ページング・メッセージ・コントローラは、さらに、ＵＥに対するページング・メッセージを第２のトラッキング・エリアに送信するように構成されている。
【００４０】
少なくとも１つの別の例示的実施形態は、一次インターフェースと二次インターフェースとの少なくとも一方を介して通信し、二次インターフェースを介して位置情報を送信し、一次インターフェースを介してページング・メッセージを受信するように構成されたユーザ機器（ＵＥ）を提供する。ページング・メッセージは、位置情報に基づく。
【００４１】
例示的実施形態は、添付の図面とともに以下の詳細な説明を読むことによって、より明確に理解されるであろう。図１〜図４Ｂは、本明細書で説明されている非限定的な例示的実施形態を表す。
【図面の簡単な説明】
【００４２】
【図１】セルラ・ネットワークを示す図である。
【図２Ａ】ページング・メッセージ・コントローラ（ＰＭＣ）とトラッキング・アプリケーション・サーバ（Ｔ−ＡＳ）とを組み入れているネットワークの例示的実施形態を示す図である。
【図２Ｂ】ページング・メッセージ・コントローラ（ＰＭＣ）とトラッキング・アプリケーション・サーバ（Ｔ−ＡＳ）とを組み入れているネットワークの例示的実施形態を示す図である。
【図３Ａ】ページング・メッセージ・コントローラ（ＰＭＣ）とトラッキング・アプリケーション・サーバ（Ｔ−ＡＳ）とを組み入れているネットワークの例示的実施形態を示す図である。
【図３Ｂ】ページング・メッセージ・コントローラ（ＰＭＣ）とトラッキング・アプリケーション・サーバ（Ｔ−ＡＳ）とを組み入れているネットワークの例示的実施形態を示す図である。
【図４Ａ】ページング・エリアを縮小する方法を示す図である。
【図４Ｂ】ページング・エリアを縮小する方法を示す図である。
【発明を実施するための形態】
【００４３】
以下では、様々な例示的実施形態について、いくつかの例示的実施形態が示されている添付図面を参照しながら、より完全に説明される。
【００４４】
したがって、例示的実施形態は、様々な修正形態および代替的形態を有することがありうるが、それらの実施形態が、図面では例として示されており、また、本明細書で詳細に説明する。しかし、例示的実施形態を開示されている特定の形態だけに限定する意図はないことを理解すべきである。むしろ反対に、例示的実施形態は、特許請求の範囲の範囲内に属するすべての修正形態、均等物、および代替形態を対象として含む。類似の参照番号は、複数の図面の説明全体を通じ、類似する要素を意味する。
【００４５】
第１、第２などの用語を本明細書で用いて様々な要素を説明することがあるが、これらの要素がこれらの用語によって限定されるべきではないことを、理解すべきである。これらの用語は、ある要素を別の要素から区別するために、用いられているに過ぎない。例えば、例示的実施形態の範囲から逸脱することなく、第１の要素を第２の要素と名付けることも可能であり、同様に、第２の要素を第１の要素と名付けることも可能である。本明細書において用いられる場合に、「および／または（ａｎｄ／ｏｒ）」という用語は、関連するリスト化されている項目の内の１つまたは複数の任意のおよびすべての組み合わせを含む。ある要素が別の要素に「接続される（ｃｏｎｎｅｃｔｅｄ）」または「結合される（ｃｏｕｐｌｅｄ）」と称されるとき、その要素は、他の要素に直接に接続もしくは結合される場合があり、または介在する要素が存在していてもかまわないことを理解すべきである。対照的に、ある要素が別の要素に「直接に（ｄｉｒｅｃｔｌｙ）接続される」、または「直接に結合される」と称されるときには、介在する要素は存在しない。複数の要素間の関係を説明するために用いられる他の言葉（例えば、「間に（ｂｅｔｗｅｅｎ）」と「直接に間に」、「隣接する（ａｄｊａｃｅｎｔ）」と「直接に隣接する」など）も、これと同様に解釈されるべきである。
【００４６】
本明細書で用いられる専門用語は、特定の実施形態を説明する目的だけを有しており、例示的実施形態を限定することを意図してはいない。本明細書において用いられる場合、単数形の「１つの（ａ）」、「１つの（ａｎ）」、および「その（ｔｈｅ）」は、文脈が明らかにそうでない場合を示していない限り、複数形も同様に含むことを意図している。用語「備える／含む（ｃｏｍｐｒｉｓｅｓ）」、「備えている／含んでいる（ｃｏｍｐｒｉｓｉｎｇ）」、「含む（ｉｎｃｌｕｄｅｓ）」、および／または「含んでいる（ｉｎｃｌｕｄｉｎｇ）」は、本明細書で用いられる場合には、言及されている機能、整数、ステップ、動作、要素、および／またはコンポーネントの存在を指しているが、１つまたは複数の他の機能、整数、ステップ、動作、要素、コンポーネント、および／またはこれらのグループの存在または追加を除外するものではないことが、さらに理解されるであろう。
【００４７】
いくつかの代替的な実装形態では、言及されている機能／作用は、図面で示されている順序とは異なる順序で起こり得ることにも注意すべきである。例えば、連続して示されている２つの図面は、実際には、関与する機能／作用に応じて、実質的に同時に実行されることがあるし、または時には、逆の順序で実行されることもある。
【００４８】
別の定義がなされない限り、本明細書で用いられる（技術用語および科学用語を含む）すべての用語は、例示的実施形態が属する技術分野の当業者によって一般的に理解されるのと同じ意味を有する。用語は、例えば一般的に使用されている辞書で規定されている用語は、関連のある技術の文脈におけるそれらの意味と互換性のある意味を有するものと解釈されるべきであり、本明細書で明示的にそのように定義されない限りは、理想化されたまたは過剰に形式的な意味では解釈されないことが、さらに理解されるであろう。
【００４９】
例示的実施形態と対応する詳細な説明との一部は、コンピュータ・メモリの内部のデータ・ビットに対する動作に関するソフトウェアの観点から、またはアルゴリズムおよび記号的表現の観点から提示されている。これらの説明および表現は、当業者が自らの業務の実質を他の当業者に有効に伝達する際に用いられるものである。本明細書で用いられている用語として、また一般的に用いられる用語として、アルゴリズムとは、希望する結果に至る自己矛盾のない一連のステップであるものとして、考えられる。そのようなステップは、物理量の物理的操作を必要とするステップである。通常は、必ずしもそうであるとは限らないが、これらの量は、記憶され、転送され、組み合わされ、比較され、またそれ以外の方法で操作可能な、光信号、電気信号、または磁気信号という形態を有する。時には、主に一般に使用するという理由のために、これらの信号をビット、値、要素、シンボル、キャラクタ、用語、番号などと称することが便利であることが判明している。
【００５０】
以下の説明では、例示的実施形態について、ルーチン、プログラム、オブジェクト、コンポーネント、データ構造などを含むプログラム・モジュールまたは機能プロセスとして実装することができる動作の作用と記号表現（例えば、フロー・チャート形式）を参照して、説明する。なお、ここでプログラム・モジュールまたは機能プロセスとは、特定のタスクを実行する、または特定の抽象データ・タイプを実装するものであって、既存のネットワーク要素または制御ノード（例えば、セル・サイト、基地局、またはノードＢなどに配置されるスケジューラなど）における既存のハードウェアを用いて、実装することができる。そのような既存のハードウェアは、１つまたは複数の中央演算処理装置（ＣＰＵ）、デジタル信号プロセッサ（ＤＳＰ）、特定用途向け集積回路、フィールド・プログラマブル・ゲート・アレイ（ＦＰＧＡ）コンピュータなど、を含むことがありうる。
【００５１】
しかし、これらのおよび類似の用語のすべてが適切な物理量と関連付けられること、また、単に便宜的なラベルをこれらの量に適用しているにすぎないことを、心にとどめておくべきである。そうではないと具体的に断らない限り、または議論から明らかなように、「処理する」、「計算する」、「算出する」、「決定する」または「表示する」などの用語は、コンピュータ・システムまたは類似の電子的コンピューティング・デバイスの作用および処理を指す。なお、上述のコンピュータ・システムまたは類似の電子的コンピューティング・デバイスは、コンピュータ・システムのレジスタおよびメモリの内部で物理的で電子的な量として表されているデータを操作して、そのようなデータを、コンピュータ・システムのメモリ、レジスタ、もしくは他のそのような情報ストレージ、伝送、または表示装置の内部の物理量として同様に表される他のデータに変換する。
【００５２】
また、例示的実施形態のソフトウェアで実装される態様は、何らかの形態を有する有体物である（または記録用の）記憶媒体上に符号化されているのが典型的であることに注意してほしい。有体物である記憶媒体は、磁気的（例えば、フロッピー（登録商標）ディスクやハード・ドライブ）または光学的（例えば、コンパクト・ディスク・リード・オンリ・メモリすなわち「ＣＤ−ＲＯＭ」）な場合があり、読み出されるだけの場合またはランダム・アクセスの場合がある。例示的実施形態は、与えられているどの実装例のこれらの態様によっても、限定されない。
【００５３】
本明細書において用いられる場合、用語「ユーザ装置」（ＵＥ）とは、モバイル・ユーザ、移動局、モバイル端末、ユーザ、加入者、ワイヤレス端末、および／またはリモート局と同義であり、また、ワイヤレス通信ネットワークにおけるワイヤレス・リソースのリモート・ユーザを説明する場合もある。
【００５４】
例示的実施形態は、ＬＴＥおよび／またはＵＭＴＳなどのセルラ・ワイヤレス通信システムへの、および、ＷｉＦｉなどのＩＥＥＥ８０２．１１システムへの、デュアル無線アクセスを有するＵＥの観点から説明されるが、例示的実施形態が、任意のセルラ・ネットワークの組み合わせへのデュアル無線アクセスを有するＵＥのネットワークに適用可能であるであることは、容易に明らかであろう。
【００５５】
図１は、ある例示的実施形態によるセルラ・ネットワークを示している。図１に示されているように、セルラ・ネットワークは、ＬＴＥ  ＲＡＮ１０と、ＵＭＴＳ  ＲＡＮ２０とを含む。ＬＴＥ  ＲＡＮ１０およびＵＭＴＳ  ＲＡＮ２０は、複数のＵＥ４０と通信するように構成されている。
【００５６】
ＬＴＥ  ＲＡＮ１０は、パケット・データ・ネットワーク・ゲートウェイ（ＰＤＮ−ＧＷ）１２と、モビリティ・マネジメント・エンティティ（ＭＭＥ）１４と、サービング・ゲートウェイ（Ｓ−ＧＷ）１６と、エンハンストＮｏｄｅＢ（ｅＮｏｄｅＢ）１８とを含む。ＭＭＥ１４は、ＬＴＥ  ＲＡＮ１０における主な制御プレーン・ノードである。ｅＮｏｄｅＢ１８は、シグナリング経路を介してＭＭＥ１４に、データ経路を介してＳ−ＧＷ１６に接続されている。ＭＭＥ１４は、ｅＮｏｄｅＢ１８、Ｓ−ＧＷ１６、およびＰＤＮ−ＧＷ１２へのシグナリング接続を有する。
【００５７】
ｅＮｏｄｅＢ１８は、ＭＭＥ／Ｓ−ＧＷの対によって制御され、単一のＭＭＥ／Ｓ−ＧＷコンプレックスは、概して、多数のセルを備えた大きな地理的エリアを表す。ＵＥ４０がＬＴＥ  ＲＡＮ１０に入ると、ＵＥ４０は、最初に（ｅＮｏｄｅＢ１８を介して）ＭＭＥ１４との間でそれ自体を登録し、ＭＭＥ１４との間で制御チャネルを確立する。ＵＥ４０がデータを送るときには、ＵＥ４０は、最初にｅＮｏｄｅＢ１８に信号伝達し、データを送るためのデータ伝送チャネルを取得する。ｅＮｏｄｅＢ１８（または別のネットワーク・エンティティ）は、データ伝送チャネルを割り当て、ＵＥ４０にデータ伝送チャネルについて連絡をする。
【００５８】
ＵＭＴＳ  ＲＡＮ２０は、ＳＧＳＮ２２と、無線ネットワーク・コントローラ（ＲＮＣ）２４と、ｅＮｏｄｅＢ２６とを含む。ＳＧＳＮ２２とＲＮＣ２４とは、それらの間のシグナリングおよびデータの両方の経路を介して接続されている。ＲＮＣ２４とｅＮｏｄｅＢ２６とは、それらの間のシグナリングおよびデータの両方の経路を介して接続されている。ＳＧＳＮ２２は、シグナリング経路を介して、ＬＴＥ  ＲＡＮ１０のＭＭＥ１４に接続されている。
【００５９】
ＵＥ４０は、少なくとも２つの無線インターフェースを有するマルチモード端末として構成されている。一次無線インターフェースは、ＲＡＮの基地局と通信するために用いられ、他方は、ＷｉＦｉまたはＷｉ−ＭＡＸなどのＩＥＥＥ８０２．１１ネットワークへのアクセスのための二次無線インターフェースとして用いられる。二次無線インターフェースはＩＥＥＥ８０２．１１ファミリの標準に従うＷｉＦｉ無線であると、本明細書の目的のために仮定する。しかし、例示的実施形態がそのような制限を有することはないと理解すべきである。ＵＥ４０は、ＷｉＦｉアクセス・ポイントとの通信のため、またはＵＥ相互間での通信のための二次無線インターフェースを用いるように構成されている。したがって、ＵＥは、ピア・ツー・ピア・モードにあると考えられる。
【００６０】
ＵＥ４０は、ｎをクラスタの個数であるとして、複数のクラスタ３０１、３０２、…、３０ｎに分割される。
【００６１】
ＵＥ４０は、セルラおよびＷｉＦｉインターフェースの両方とともに、ＷｉＦｉアドホック・ネットワークを通じて、クラスタ３０１、３０２、…、３０ｎを形成する。それぞれのクラスタ３０１、３０２、…、３０ｎにおけるＵＥ４０は、クラスタ・ヘッド（ＣＨ）として選択される。周期的に、ＣＨは、そのクラスタの内部のＵＥ４０のセルラ識別子をモニタする。セルラ識別子は、それぞれのベース・トランシーバ局（ＢＴＳ）またはＢＴＳのセクタを識別するために用いられる一意的な数字である。ＵＭＴＳ  ＲＡＮ２０におけるｅＮｏｄｅＢ２６は、ＢＴＳであると考えられる。ＬＴＥ  ＲＡＮ１０におけるｅＮｏｄｅＢ１８の一部はＢＴＳであると考えることができるが、その理由は、ｅＮｏｄｅＢ１８がＢＴＳよりも多くの機能を含むからである。セルラ識別子は、また、セル識別子またはセル・グローバル識別子と称されることもある。
【００６２】
ＷｉＦｉアドホック・ネットワークの範囲には制限があるため（数１０メートルのオーダー）、クラスタの内部のすべてのＵＥ４０は、同じセルに属する場合がある。ＣＨは、複数のＵＥ４０間、およびＬＴＥ  ＲＡＮ１０とＵＭＴＳ  ＲＡＮ２０との間で、シグナリング・メッセージを減少させるのに役立つ。クラスタ、クラスタ・ヘッド、およびクラスタ・メンバーシップ、トラッキング・メカニズムは、発明の名称が「ＭＥＴＨＯＤ  ＦＯＲ  ＩＭＰＲＯＶＥＤ  ＴＯＰＯＬＯＧＹ  ＭＡＰＰＩＮＧ  ＩＮ  ＷＩＲＥＬＥＳＳ  ＣＯＭＭＵＮＩＣＡＴＩＯＮ  ＮＥＴＷＯＲＫＳ」であり、２０１１年１月３１日に出願された米国特許出願第１３／０２７，２０６に開示され、その全内容は本明細書に参照により組み込まれている。
【００６３】
図２Ａ〜図４Ｂを参照して、さらに詳細に説明されるように、例示的実施形態は、ページング・メッセージ・コントローラ（ＰＭＣ）と称されるネットワーク・コンポーネントを用いる。ＰＭＣは、ＲＡＮの内部の新たなネットワーク・ノードであるか、または既存の無線アクセス・ネットワーク要素の内の１つに常駐するソフトウェア・コンポーネントでありうる。ＰＭＣは、プロセッサと関連するメモリとを含むことある。ＰＭＣによって実行される機能はプロセッサによって実行されうるということを、理解すべきである。新たなネットワーク要素として、ＵＭＴＳアーキテクチャでは、ＰＭＣは、ＳＧＳＮとＳＧＳＮによって扱われるすべてのＲＮＣとの間に常駐することができるし、ＬＴＥアーキテクチャでは、ＰＭＣは、ＭＭＥとＬＴＥにおいてＭＭＥによって扱われるすべてのｅＮｏｄｅＢとの間に常駐する。既存のネットワーク要素におけるプロセッサと関係して実装されるソフトウェア・コンポーネントとして、ＰＭＣは、ＵＭＴＳにおけるＳＧＳＮにおよび／またはＬＴＥにおけるＭＭＥに常駐することができる。
【００６４】
ＰＭＣは、ＵＭＴＳにおけるＳＧＳＮとＲＮＣとの間で、およびＬＴＥにおけるＭＭＥとｅＮｏｄｅＢとの間で、ページング・メッセージを検査して変更する。
【００６５】
例示的実施形態では、ＵＥを追跡するのには、トラッキング・アプリケーション・サーバ（Ｔ−ＡＳ）が用いられる。クラスタ・ヘッド（ＣＨ）ＵＥが、周期的に、そのクラスタにおけるＵＥとセルラ識別子（セルＩＤ）とのマッピングをＴ−ＡＳに報告する。ＵＥとセル識別子とのマッピングは、ＵＥに対するセル・レベル位置情報と称されることがある。任意の所与の時間において、ＵＥはある１つの位置にあり、したがって、ＵＭＴＳまたはＬＴＥの一方がイネーブルされた１つのセルにマッピングされる。時間が経過するにつれて、かつＵＥが移動するにつれて、ＵＥが両方の技術をサポートしている場合には、ＵＥは、ＵＭＴＳやＬＴＥなどの異なるＲＡＮを用いて、複数のセルにマッピングされうる。Ｔ−ＡＳは、それぞれのＵＥとセル識別子とのマッピングをＣＨから受け取ると、そのマッピングにタイムスタンプを割り当てる。それぞれのＵＥに対して、Ｔ−ＡＳは、そのＵＥに関連するセルＩＤのリストを記憶するが、それぞれが一意的なタイムスタンプの値を有する。それぞれのＵＥは、Ｔ−ＡＳとのインターフェースを有するクライアント・アプリケーションを備えている。
【００６６】
一旦Ｔ−ＡＳがＵＥとセル識別子とのマッピングを時間経過とともに収集して、それぞれのＵＥに対するセルＩＤのリストを構築すると、Ｔ−ＡＳは、それぞれのＵＥに対する最適トラッキング・エリア（ＯＴＡ）を構築することができる。ＯＴＡは、ルーティング・エリアおよびトラッキング・エリアと同様に、セルおよび／またはセル識別子の集合である。したがって、ＯＴＡは、近い過去（例えば、ＵＥが最後に接続されたとき以来など、特定の時間期間）においてＵＥによって訪問されたセルに対するＩＤのリストを含みうる。Ｔ−ＡＳは、ＰＭＣがページング・メッセージを抑制するために、ＯＴＡを、無線アクセス・ネットワークの内部のＰＭＣに送信する。
【００６７】
新たなインターフェースＩ＿ｔａが、Ｔ−ＡＳとＰＭＣとの間に定義される。このインターフェースＩ＿ｔａにより、Ｔ−ＡＳが、それぞれのＵＥに対するＯＴＡをＰＭＣに送ることが可能になる。Ｉ＿ｔａインターフェースにより、Ｔ−ＡＳとＰＭＣとの間のメッセージの交換が可能になる。Ｉ＿ｔａインターフェースの一つの例には、ＰＭＣがトリガ・メッセージとタイマＴ＿１とをＴ−ＡＳに送ることが含まれる。一旦Ｔ−ＡＳがトリガ・メッセージを受け取ると、Ｔ−ＡＳは、タイマＴ＿１を開始する。タイマＴ＿１が終了すると、Ｔ−ＡＳは、それぞれのＵＥに対するＯＴＡをＰＭＣに送る。さらに、タイマＴ＿１は、Ｔ−ＡＳにおいて再度開始する。結果的に、Ｔ−ＡＳは、それぞれのＵＥに対する現在のＯＴＡを、ＭＣへＴ＿１周期毎に送る。
【００６８】
Ｉ＿ｔａインターフェースの別の例では、Ｔ−ＡＳは、Ｔ−ＡＳがそれぞれのＵＥに対する現在の完全なＯＴＡ情報を送った最後の時以来の、それぞれのＵＥに対するＯＴＡにおける最近の変化を送る。Ｔ−ＡＳは、ＯＴＡの変化をいつ送るべきかを判断する。例えば、Ｔ−ＡＳに記憶されている現在のＯＴＡの上にない新たなＵＥとセル識別子とのマッピングをＴ−ＡＳが受け取ると、Ｔ−ＡＳは、ＰＭＣにおいてＵＥのＯＴＡに含まれるべき追加的なセルＩＤの形式で、ＯＴＡの変化を送ることができる。別の例では、Ｔ−ＡＳがＸ（ただし、Ｘは１以上）よりも多くのＵＥとセル識別子とのマッピングの変化を受け取ると、Ｔ−ＡＳは、１つまたは複数のＵＥに対するＯＴＡにおける変化を送ることができる。さらに別の例は、Ｔ−ＡＳが少なくともＹ（ただし、Ｙは１以上）のＵＥとセル識別子とのマッピングの変化を受け取るとき、および、ＰＭＣに送られた最後の完全な更新からの経過時間が少なくともＴ＿２である場合である。ただし、ここで、Ｔ＿２はＴ＿１よりも小さい。別の例では、ＰＭＣは、最後の完全な更新および他のリクエスト以来のそれぞれのＵＥに対するＯＴＡにおける変化を、Ｔ−ＡＳに送るように要求することがある。さらに別の例では、ＰＭＣは、Ｔ−ＡＳがセル・レベル情報を有しているすべてのＵＥの代わりに、１つまたは複数のＵＥの選択されたグループに対する特定のＯＴＡまたはＯＴＡにおける変化を要求することがある。
【００６９】
Ｉ＿ｔａインターフェースにより、それらがＴ−ＡＳによって定義されていない場合であっても、ＰＭＣが、Ｔ−ＡＳによって用いられるパラメータＴ＿１、Ｔ＿２、Ｘ、Ｙを特定することが可能になる。
【００７０】
図２Ａ〜図３Ｂは、ＰＭＣとＴ−ＡＳとを組み入れているネットワークの例示的実施形態を示している。
【００７１】
図２Ａは、ＵＭＴＳ  ＲＡＮの一例示的実施形態を示している。示されているように、ＵＭＴＳ  ＲＡＮ２００ａは、ＳＧＳＮ２２２ａ、ＰＭＣ２２３ａ、ＲＮＣ２２４ａ、およびｅＮｏｄｅＢ２２６ａを含む。Ｔ−ＡＳ２２１ａは、ＰＭＣ２２３ａと通信するように構成されている。ｅＮｏｄｅＢ２２６ａおよびＲＮＣ２２４ａは、図１に示されているｅＮｏｄｅＢ２６およびＲＮＣ２４とそれぞれ同じである。したがって、簡潔にする目的で、ｅＮｏｄｅＢ２２６ａおよびＲＮＣ２２４ａに関する説明は省略する。
【００７２】
示されているように、クラスタ・ヘッドＵＥは、セル・レベル位置情報をＴ−ＡＳ２２１ａに送信することができる。Ｔ−ＡＳ２２１ａは、１つまたは複数のＵＥに対するＯＴＡを、インターフェースＩ＿ｔａを介して、ＰＭＣ２２３ａに送信するように構成されている。示されているように、ＰＭＣ２２３ａは、ＲＮＣ２２４ａとＳＧＳＮ２２２ａとの間に接続されている。図２Ａでは、ＰＭＣ２２３ａは、ネットワーク要素であると考えられる。
【００７３】
図２Ｂは、ＵＭＴＳ  ＲＡＮの一例示的実施形態を示している。示されているように、ＵＭＴＳ  ＲＡＮ２００ｂは、ＳＧＳＮ２２２ｂ、ＰＭＣ２２３ｂ、ＲＮＣ２２４ｂ、およびｅＮｏｄｅＢ２２６ｂを含む。Ｔ−ＡＳ２２１ｂは、ＰＭＣ２２３ｂと通信するように構成されている。ｅＮｏｄｅＢ２２６ｂおよびＲＮＣ２２４ｂは、図１に示されているｅＮｏｄｅＢ２６およびＲＮＣ２４とそれぞれ同じである。したがって、簡潔にする目的で、ｅＮｏｄｅＢ２２６ｂおよびＲＮＣ２２４ｂに関する説明は省略する。
【００７４】
さらに、ＵＭＴＳ  ＲＡＮ２００ｂは、ＵＭＴＳ  ＲＡＮ２００ａと同じである。ただし、ＰＭＣ２２３ｂは、符号化されたソフトウェアを実行する関連のプロセッサとともに、コンピュータ可読媒体としてＳＧＳＮ２２２ｂに、または符号化されたソフトウェアとしてＳＧＳＮ２２２ｂに組み入れられている点は、異なっている。したがって、簡潔にする目的で、ＵＭＴＳ  ＲＡＮ２００ｂに関する説明は省略する。
【００７５】
図３Ａは、ＬＴＥ  ＲＡＮの一例示的実施形態を示している。示されているように、ＬＴＥ  ＲＡＮ３００ａは、ＰＭＣ３２３ａ、ＭＭＥ３１４ａ、ＰＤＮ−ＧＷ３１２ａ、Ｓ−ＧＷ３１６ａ、およびｅＮｏｄｅＢ３１８ａを含む。Ｔ−ＡＳ３２１ａは、ＰＭＣ３２３ａと通信するように構成されている。ＰＤＮ−ＧＷ３１２ａ、Ｓ−ＧＷ３１６ａ、およびｅＮｏｄｅＢ３１８ａは、図１に示されているＰＤＮ−ＧＷ１２、Ｓ−ＧＷ１６、およびｅＮｏｄｅＢ１８とそれぞれ同じである。したがって、簡潔にする目的で、ＰＤＮ−ＧＷ３１２ａ、Ｓ−ＧＷ３１６ａ、およびｅＮｏｄｅＢ３１８ａに関する説明は省略する。
【００７６】
示されているように、クラスタ・ヘッドＵＥは、セル・レベル位置情報をＴ−ＡＳ３２１ａに送信することができる。Ｔ−ＡＳ３２１ａは、１つまたは複数のＵＥに対するＯＴＡを、インターフェースＩ＿ｔａを介して、ＰＭＣ３２３ａに送信するように構成されている。示されているように、ＰＭＣ３２３ａは、ＭＭＥ３１４ａとｅＮｏｄｅＢ３１８ａとの間に接続されている。図３Ａでは、ＰＭＣ３２３ａは、ネットワーク要素であると考えられる。
【００７７】
図３Ｂは、ＬＴＥ  ＲＡＮの一例示的実施形態を示している。示されているように、ＬＴＥ  ＲＡＮ３００ｂは、ＰＭＣ３２３ｂ、ＭＭＥ３１４ｂ、ＰＤＮ−ＧＷ３１２ｂ、Ｓ−ＧＷ３１６ｂ、およびｅＮｏｄｅＢ３１８ｂを含む。Ｔ−ＡＳ３２１ｂは、ＰＭＣ３２３ｂと通信するように構成されている。ＰＤＮ−ＧＷ３１２ｂ、Ｓ−ＧＷ３１６ｂ、およびｅＮｏｄｅＢ３１８ｂは、図１に示されているＰＤＮ−ＧＷ１２、Ｓ−ＧＷ１６、およびｅＮｏｄｅＢ１８とそれぞれ同じである。したがって、簡潔にする目的で、ＰＤＮ−ＧＷ３１２ｂ、Ｓ−ＧＷ３１６ｂ、およびｅＮｏｄｅＢ３１８ｂに関する説明は省略する。
【００７８】
さらに、ＬＴＥ  ＲＡＮ３００ｂは、ＬＴＥ  ＲＡＮ３００ａと同じである。ただし、ＰＭＣ３２３ｂは、符号化されたソフトウェアを実行する関連のプロセッサとともに、コンピュータ可読媒体としてＭＭＥ３１４ｂに、または符号化されたソフトウェアとしてＭＭＥ３１４ｂに組み入れられている点は、異なっている。したがって、簡潔にする目的で、ＬＴＥ  ＲＡＮ３００ｂに関する説明は省略する。
【００７９】
Ｔ−ＡＳ２２１ａ、２２１ｂ、３２１ａ、３２１ｂは、すべて同じであってもよい。
【００８０】
Ｔ−ＡＳ２２１ａ、２２１ｂ、３２１ａ、３２１ｂ、ＰＭＣ２２３ａ、２２３ｂ、３２３ａ、３２３ｂ、ＳＧＳＮ２２２ａ、２２２ｂ、およびＭＭＥ３１４ａ、３１４ｂの機能は、さらに詳細に以下で説明される。
【００８１】
ページング・エリアの縮小
例示的実施形態では、ＵＥの位置が、Ｔ−ＡＳによって、ＵＭＴＳにおけるルーティング・エリア、およびＬＴＥにおけるトラッキング・エリアまたはトラッキング・エリア・リストというさらに高いレベルの代わりに、１つまたはいくつかのセルという詳細なレベルまで追跡される。
【００８２】
Ｔ−ＡＳは、周期的に、またはＵＥがセルを変更するたびに、ＵＥとセル識別子（ＩＤ）とのマッピングを収集する。Ｔ−ＡＳは、ＲＡＮの外では、ＵＥの二次インターフェース（例えば、ＷｉＦｉ）を経由してマッピングを収集する。結果的には、ＵＥからセルへのＩＤマッピングは、セル間のＵＥの移動を反映するように更新される。対照的に、現在の３ＧＰＰ標準によると、ＵＥがＬＴＥにおいてルーティング・エリアまたはトラッキング・エリア・リストを変更すると、ルーティング・エリア（ＲＡ）またはトラッキング・エリア（ＴＡ）リスト・マッピングをＲＡＮに報告するだけである。結果的に、ＵＥとセルＩＤとのマッピングは、従来型のシステムにおいては、セル間のＵＥの移動を反映するように更新されることはない。したがって、３ＧＰＰ標準におけるＵＥとＲＡまたはＴＡリストとのマッピングは、それぞれのＵＥがＲＡまたはＴＡのリストにおいて相互にグループ化されているセルの大きなリストにマッピングされるような、はるかにより高いレベルで維持される。ＵＭＴＳの場合はＵＥのルーティング・エリアにおいて、またはＬＴＥの場合はＵＥのトラッキング・エリア・リストにおいて、すべてのセルにページング・メッセージを同時に送出する代わりに、発明者たちは、ＷｉＦｉアドホック・ネットワークを介してクラスタ・ヘッド（ＣＨ）によって収集されるクラスタ・メンバーシップ情報が、ＵＥからセル（またはいくつかの近接するセル）までの位置を絞り込むために用いることができることを発見した。第１のページング・リクエストが、ＳＧＳＮ（ＵＭＴＳの場合）またはＭＭＥ（ＬＴＥの場合）によって生成されて、最適トラッキング・エリア（ＯＴＡ）における多数のセルに送られる。ＯＴＡにおけるセルの数は、ルーティング・エリア（ＵＭＴＳの場合）またはトラッキング・エリア（ＬＴＥの場合）におけるセルの数よりも少ない。このようにして、ＵＥに到達するのに必要とされるページング・リクエストの数が減らされる。第１のページング・リクエストが失敗する場合には、ｅＮｏｄｅＢが、ＵＥの、ＵＭＴＳに場合のルーティング・エリアまたはＬＴＥの場合のトラッキング・エリアにおけるすべての他のセルに、ページング・リクエストを送ることがありうる。
【００８３】
３ＧＰＰの標準である「３ＧＰＰ  ｓｔａｎｄａｒｄｓ  ３ＧＰＰ  ＴＳ  ３６．３００−ｖ９．４．０，Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）Ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）；Ｏｖｅｒａｌｌ  ｄｅｓｃｒｉｐｔｉｏｎ；Ｓｔａｇｅ２（リリース９）、２０１０年６月」および「３ＧＰＰ  ＴＳ  ３６．４１３−ｖ９．３．０，Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）；Ｓ１  Ａｐｐｌｉｃａｔｉｏｎ  Ｐｒｏｔｏｃｏｌ（Ｓ１ＡＰ）（リリース９）、２０１０年６月」に規定されているように、ページング・メッセージが、ＵＭＴＳの場合のＳＧＳＮおよびＬＴＥの場合のＭＭＥによって、階層的な無線アクセス・ネットワーク・アーキテクチャを通りＲＡＮにおけるページング・チャネル上のブロードキャストを経由してＵＥの集合に到達する前に、生成される。
【００８４】
従来型のＵＭＴＳでは、どのセルがあるＵＥに対するページング・メッセージを送るのかに関する決定は、ＳＧＳＮによってなされ、ＳＧＳＮは、同じページング・メッセージを、そのＵＥに関連するルーティング・エリアを構成するすべてのセルに送る。同様に、従来型のＬＴＥでは、この決定はＭＭＥによってなされ、ＭＭＥは、同じページング・メッセージを、そのＵＥに関連するトラッキング・エリアのリストを構成するすべてのセルに送る。
【００８５】
図４Ａは、ページング・エリアを縮小する方法を示している。図２Ａ〜図３Ｂに示されている例示的実施形態の内の任意のものが、図４に示されているページング・エリアを縮小する方法を実装するように構成されていることを理解すべきである。
【００８６】
Ｓ４００では、Ｔ−ＡＳが、ＵＥであるＣＨからセル・レベル位置情報を受け取る。
【００８７】
周期的に、クラスタ・ヘッド（ＣＨ）は、Ｔ−ＡＳに、クラスタの内部のＵＥのリストを、ＵＥとセル識別子とのマッピングのリストという形式で送信する。ＣＨは、セルラ・ネットワークのＲＡＮを通過するＷｉＦｉなどの二次インターフェースまたは一次インターフェースを介して、ＵＥとセル識別子とのマッピングのリストをＴ−ＡＳに送信する。
【００８８】
セル・レベル位置情報を周期的に送信することにより、Ｔ−ＡＳは、以前のシステムよりも高い頻度で位置情報を受け取ることができる。以前のシステムでは、（１）ＵＥの一次インターフェースがオンであり、ＵＥがセルを変更して結果的にそのルーティング・エリアまたはトラッキング・エリア・リストに変化を生じさせるときだけ、または（２）ＵＥの一次インターフェースがオンでありタイマが終了しているときだけ、ＵＥから位置情報が送られる。
【００８９】
例示的実施形態では、セル・レベル位置情報は、一次インターフェースがオフであるときでも、ＵＥによって、二次インターフェースを介してＣＨに送られる。結果的に、Ｔ−ＡＳは、より最新の情報を受け取ることができる。
【００９０】
クラスタ内部でＵＥに対するセル・レベル位置情報を報告するために、クラスタ・ヘッド（ＣＨ）は、セルラＲＡＮにおけるデータ伝送チャネルの確立を通じ、または利用可能なＷｉＦｉネットワークを通じて、Ｔ−ＡＳとのＩＰ接続を確立する。Ｔ−ＡＳは、ＲＡＮの外部に存在するアプリケーション・サーバである。Ｔ−ＡＳは、ドメイン・ネーム・サーバ（ＤＮＳ）のメカニズムを通じて、そのホスト名とＩＰアドレスとのマッピングを知らせる。ＣＨ上で動作しているアプリケーションには、Ｔ−ＡＳのホスト名が提供される、または、ＣＨ上で動作しているアプリケーションは、Ｔ−ＡＳに対するホスト名を用いて構成される。ＤＮＳを用いることにより、ＣＨは、Ｔ−ＡＳとのＩＰ接続を確立することができる。
【００９１】
Ｓ４４０では、それぞれのＣＨから受け取られたセル・レベル位置情報に基づいて、ＯＴＡを決定する。Ｔ−ＡＳは、ＵＥがアクセスするように構成されているそれぞれのＲＡＮに対して、ＯＴＡを決定する。例えば、ＵＥがＵＭＴＳおよびＬＴＥを介して通信することができる場合には、Ｔ−ＡＳは、ＵＭＴＳに対して第１のＯＴＡを、ＬＴＥに対して第２のＯＴＡを、というようにＵＥに対して２つのＯＴＡを決定することができる。Ｔ−ＡＳは、ＵＥが最近訪問したセルのリストを含ませることによって、ＯＴＡを形成する。ある例では、ＯＴＡは、ＵＥがある時間期間の間に訪問したセルのリストを含む。このように、ＯＴＡは、その時間期間にＵＥが訪問したセルに基づくことがありうる。ＯＴＡはルーティング・エリアおよび／またはトラッキング・エリアにおける複数のセルからのセルの部分集合を含むことがありうる。
【００９２】
この時間期間は、Ｔ−ＡＳの設定および構成時間の間の静的な値に構成されることがあるし、またはそのＯＴＡの内部のＵＥをページングする成功率に基づいて調整されることもありうる。ＯＴＡのページング・プロセスは、ＯＴＡにおけるセルに送られたページング・メッセージにＵＥが応答する場合に、成功であると定義される。ページングは、ＵＥが、ＯＴＡにおけるセルに送られたページング・メッセージに応答しないが、オリジナルのＲＡ（ＵＭＴＳの場合）またはＴＡリスト（ＬＴＥの場合）におけるセルに送られたページング・メッセージに応答する場合に、失敗であると定義される。一例示的実施形態では、この時間期間は、ページングの成功率がしきい値であるＰ＿ｌｏｗよりも低い値まで低下する場合には、値ｔ＿ａだけ長くなり、ページングの成功率がしきい値であるＰ＿ｈｉｇｈよりも高い値まで上昇する場合には、値ｔ＿ｂだけ長くなる。パラメータｔ＿ａ、ｔ＿ｂ、Ｐ＿ｌｏｗ、およびＰ＿ｈｉｇｈは、異なる複数のネットワーク内部での経験に基づいて、構成または決定することができる。時間期間は、経験的な研究に基づいて、他のメカニズムによっても決定することができる。
【００９３】
ＵＭＴＳおよびＬＴＥにおいて、ＲＡまたはＴＡは、セルラ・ネットワークが設定されるときに、セルのグループを含むように静的に特定される。セル識別子の一部は、ルーティング・エリア識別子である。セルは、一旦展開され動作を開始すると、固定されたセル識別子を有する。ＯＴＡは、セルがどのＲＡまたはＴＡに属するのかを無視し、その代わりに、個別のセルを含む。
【００９４】
この結果として、ＯＴＡは、ＵＭＴＳにおけるルーティング・エリアとＬＴＥにおけるトラッキング・エリア・リストと比較して、より小さなセル識別子のリストを有することになる。一例示的実施形態では、ＵＭＴＳにおける１つのＳＧＳＮまたはＬＴＥにおけるＳ−ＧＷ／ＭＭＥによって制御されるＲＡＮがカバーするエリアを扱うＴ−ＡＳが１つだけ存在する場合には、Ｔ−ＡＳによって保存されるリストは、ＯＴＡと称される場合がある。上述したように、ＬＴＥでは、Ｓ−ＧＷがＲＡＮにおけるデータ・トラフィックを扱い、ＭＭＥがＲＡＮにおける制御トラフィックを扱う。ＯＴＡは、それぞれのＵＥの位置に対するセルのリストを識別する。Ｔ−ＡＳは、それぞれのＵＥに対するＯＴＡを構築して、それぞれのＵＥに対する完全なＯＴＡまたはすべてのＵＥの部分集合に対するＯＴＡの変更を周期的にＰＭＣに送る。
【００９５】
別の例示的実施形態では、複数のＴ−ＡＳを、ＵＭＴＳにおけるそれぞれのＳＧＳＮとＬＴＥにおけるＳ−ＧＷ／ＭＭＥに対して構成することができる。この例では、それぞれのＣＨは、１つのＴ−ＡＳを選択して、ＵＥのセル・レベル位置情報を報告することができる。Ｔ−ＡＳは、ＵＥとセル識別子とのマッピングを記録し、そこから情報を受け取ったそれぞれのＵＥに対してＯＴＡを構築する。ＵＥはセルからセルへ移動するので、ＣＨはそのセル・レベル位置情報を異なる複数のＴ−ＡＳノードに報告することがありうる。結果的に、完全なＯＴＡは、ＵＭＴＳにおけるＳＧＳＮまたはＬＴＥにおけるＳ−ＧＷ／ＭＭＥによって制御されるＲＡＮに供給するすべてのＴ−ＡＳノードからＰＭＣが情報を収集した後でのみ、構築されてＰＭＣに記憶されることができる。このように、それぞれのＴ−ＡＳは、ＲＡＮにおけるＵＥの一部に対して、部分的なＯＴＡを構築して記憶するだけである。
【００９６】
Ｔ−ＡＳは、クラスタの内部のＵＥに対するＣＨ  ＵＥからのセル・レベル位置情報を含む報告に基づいて、それぞれのＵＥに対するＯＴＡを周期的に更新することができる。一般的には、Ｔ−ＡＳは、セルラＲＡＮの範囲を越えて配置されているアプリケーション・サーバである。しかし、３ＧＰＰ標準および／またはＬＴＥ標準は、Ｔ−ＡＳをＲＡＮの一部として含むように変更することが可能である。
【００９７】
セル・レベル位置情報を周期的に受け取ることにより、Ｔ−ＡＳは、以前のシステムよりも高い頻度で、位置情報を受け取ることができる。以前のシステムでは、位置情報は、ＵＥの一次インターフェースがオンであるときだけ、ＵＥから送られるのであって、ＵＥの移動の結果として、ＵＭＴＳにおけるルーティング・エリアおよびＬＴＥにおけるトラッキング・エリア・リストに変更が生じていた。例示的実施形態では、セル・レベル位置情報は、ＵＥの一次インターフェースがオフであるときでも、二次インターフェースを介して、ＵＥによりＣＨへ送ることができる。Ｔ−ＡＳは、ＵＥの一次インターフェースがオフのときにセル・レベル情報を受け取ることができる。したがって、Ｔ−ＡＳは、両方ともに静的に定義された多数のセルを含むルーティング・エリアまたはトラッキング・エリア・リストのレベルではなく、セルのレベルで、より最新の情報とより詳細な情報とを有することができる。
【００９８】
Ｔ−ＡＳは、また、ＳＧＳＮとセルの間および／またはＭＭＥとセルの間のマッピング情報を記憶する。それぞれのセルは、ある１つのＳＧＳＮまたはＭＭＥに属する。マッピング情報に基づいて、Ｔ−ＡＳは、（ある１つのＳＧＳＮまたはＭＭＥによって提供される）それぞれのＲＡＮに対して、ＵＥの別々のリストを維持する。このように、ＵＥは、このＵＥが複数の無線アクセス技術によってサービスの提供を受けることができる場合には、複数のＲＡＮに対するリストに同時に含まれることがありうる。
【００９９】
まとめると、ＵＥとセルとの間にはｍ対１のマッピングが存在し、セルとＲＡＮにおけるＳＧＳＮまたはＭＭＥとの間にはｎ対１のマッピングが存在する。換言すると、それぞれのＳＧＳＮまたはＭＭＥは複数のセルを制御することができ、それぞれのセルは複数のＵＥを含むことができる。Ｔ−ＡＳは、そのセル識別子を報告するすべてのＵＥに対するＯＴＡを記憶している。Ｔ−ＡＳは、ＲＡＮにおけるすべてのＵＥに対する、またはＲＡＮにおけるＵＥの部分集合だけに対するＯＴＡを記憶することができる。
【０１００】
ＯＴＡは、現在のマッピングと先に決定されていたマッピングとを組み合わせることにより、形成することができる。ＳＧＳＮまたはＭＭＥに対して１つのＴ−ＡＳノードが存在するときには、ＯＴＡは、ＳＧＳＮまたはＭＭＥに対するＴ−ＡＳおよび／またはＰＭＣにおいて形成することができる。ＳＧＳＮまたはＭＭＥに対して複数のＴ−ＡＳノードが存在するときには、ＯＴＡは、ＰＭＣがＵＥに関するマッピング情報を異なる複数のＴ−ＡＳノードから収集した後で、ＳＧＳＮまたはＭＭＥに対して、ＰＭＣにおいて形成されることができる。
【０１０１】
ＰＭＣにおいてＯＴＡを形成する結果として、Ｔ−ＡＳからＰＭＣへのメッセージがより頻繁に生じる。Ｔ−ＡＳがＯＴＡを形成しない場合には、Ｔ−ＡＳは、Ｔ−ＡＳがＵＥのＣＨからそのＵＥのセル・レベル位置情報をいつ受け取ったのかを反映するタイムスタンプとともに、ＵＥとセル識別子とのマッピングをＰＭＣに送る。ＯＴＡを形成した後では、Ｔ−ＡＳは、タイムスタンプ情報を含まないそれぞれのＵＥに対するセルＩＤのよりコンパクトなリストを送る。Ｔ−ＡＳがＰＭＣに送る情報の量は、ＯＴＡがＴ−ＡＳで構築される場合には、はるかに小さくなる。
【０１０２】
Ｓ４５０では、Ｔ−ＡＳは、ＵＥのＯＴＡを含む信号を、Ｉ＿ｔａインターフェースを介してＰＭＣに送信する。Ｔ−ＡＳは、ＵＥのＯＴＡを、周期的にＰＭＣに送る。１つのＰＭＣに対して複数のＴ−ＡＳが存在するような一例示的実施形態では、それぞれのＴ−ＡＳはＵＥの部分集合に対するＯＴＡを送信して、ＰＭＣはセルラ・ネットワークのＲＡＮにおけるすべてのＵＥに対する完全なＯＴＡを決定する。
【０１０３】
ＲＡＮにおけるネットワーク要素間の既存のインターフェースは、ＰＭＣを追加するために変更される必要はない。ＵＭＴＳにおいて、図２Ａに示されているようにＰＭＣがＲＮＣとＳＧＳＮとの間のネットワーク要素として追加される場合には、ＰＭＣは、必要な修正を行うためにＳＧＳＮからＲＮＣへのページング・メッセージをフィルタリングして、メッセージの残りがアップリンクおよびダウンリンクの両方の方向でＳＧＳＮとＲＮＣとの間を通過することを許可する。
【０１０４】
同様に、ＬＴＥでは、図３Ａに示されているようにＰＭＣがｅＮｏｄｅＢとＭＭＥとの間のネットワーク要素として実現されている場合には、ＰＭＣは、必要な修正を行うためにＭＭＥからｅＮｏｄｅＢへのページング・メッセージをフィルタリングして、メッセージの残りがアップリンクおよびダウンリンクの両方の方向でＭＭＥとｅＮｏｄｅＢとの間を通過することを許可する。
【０１０５】
図２Ｂおよび図３Ｂに示されているように、ＰＭＣが、ＵＭＴＳにおけるＳＧＳＮの上でまたはＬＴＥにおけるＭＭＥの上で符号化されたソフトウェアをそれぞれ実行するための関連のプロセッサとともに用いられるソフトウェア・コンポーネントとして実現されている場合には、ＰＭＣは、修正されたページング・メッセージを、既存のインターフェースを介して、ＵＭＴＳにおけるＲＮＣまたはＬＴＥにおけるｅＮｏｄｅＢに送る。再び、ＵＭＴＳにおけるＲＮＣとＳＧＳＮとの間、および、ＬＴＥにおけるｅＮｏｄｅＢとＭＭＥとの間では、既存のインターフェースへの変更は必要ない。Ｓ４８０では、ＰＭＣは、ＯＴＡに基づいてページング・メッセージを送信する。ステップＳ４８０は、図４Ｂにより詳細に示されている。
【０１０６】
Ｓ４８２では、ＰＭＣは、オリジナルのページング・メッセージをフィルタリングして、ＵＭＴＳにおけるＳＧＳＮおよびＬＴＥにおけるＭＭＥによって生成されたそれぞれのオリジナルのページング・メッセージの宛先セルを修正する。ＰＭＣは、ＳＧＳＮまたはＭＭＥからのそれぞれの入来ページング・メッセージの宛先セルのフィールドを調べる。宛先セルは、ＵＥに対するルーティング・エリア（ＵＭＴＳの場合）またはトラッキング・エリア・リスト（ＬＴＥの場合）におけるセルのリストから、ＵＥおよびＲＡＮに関連するＯＴＡのセルに変更される。
【０１０７】
ＰＭＣにおけるページング・メッセージの修正は、ＰＭＣがどのように実装されているかに左右される。ＰＭＣがＵＭＴＳにおけるＳＧＳＮおよびＬＴＥにおけるＭＭＥの上で符号化されたソフトウェアを実行するための関連するプロセッサとともに用いられるソフトウェア・コンポーネントである場合には、ＰＭＣは、それぞれのページング・メッセージに対する宛先セルのリストを修正する。
【０１０８】
ＰＭＣがＲＡＮにおけるネットワーク要素である場合には、ＰＭＣは、ＳＧＳＮ／ＭＭＥからＲＮＣ／ｅＮｏｄｅＢへ送られる、ＵＥに対するＰＭＣにおいて記憶されているＯＴＡに存在しないセルへのシグナリング・メッセージを抑制する。換言すると、ＰＭＣは、それぞれＳＧＳＮ／ＭＭＥからＲＮＣ／ｅＮｏｄｅＢへのページング・メッセージを、ＵＥに対してＰＭＣにおいて記憶されているＯＴＡに存在しないセルに送ることはない。
【０１０９】
ＯＴＡは、ＷｉＦｉアドホック・ネットワークを介してのより頻繁な更新プロセスに依って、ＵＥのセル・レベル位置に関するより最新の情報を含むことができる。ＵＥに対するＯＴＡにおけるセルの数は、ルーティング・エリアまたはトラッキング・エリア・リストの場合よりも、著しく少なくなるように設計されている。
【０１１０】
Ｓ４８４では、ＰＭＣが、修正されたページング・メッセージにおける宛先セルに送信されるべきであるｅＮｏｄｅＢへの修正されたページング・メッセージを送信する。
【０１１１】
Ｓ４８６では、修正されたページング・メッセージをＳ４８４でＰＭＣが送った後で、ＰＭＣは、値Ｔ＿ｐｈａｓｅ１に等しくなるようにタイマを始動させる。Ｔ＿ｐｈａｓｅ１の値は、ＳＧＳＮ（ＵＭＴＳの場合）およびＭＭＥ（ＬＴＥの場合）でネットワーク・ページング・タイムアウトのために用いられるタイマよりも小さい。それにより、ネットワーク・ページング・タイマが終了して、ＲＡＮが、ＵＥはＯＴＡに含まれるセルにおけるアイドル／スリープ・モードにないと判断する前に、ステップＳ４８４〜Ｓ４９４が終了する。しかし、ＵＥが、ＯＴＡに含まれないＲＡＮのセルにおけるアイドル／スリープ・モードにあることは可能である。
【０１１２】
Ｓ４８８では、ＰＭＣは、ＵＥが無線リソース・コントロール（ＲＲＣ）接続をＲＡＮとの間で確立しＲＡＮと接続されていることを示す肯定応答メッセージをＵＥから受け取るかどうかを判断する。肯定応答メッセージは、ページング応答メッセージである。この手順は、「３ＧＰＰ  ＴＳ  ２３．１９５−ｖ５．４．０  ３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｓｅｒｖｉｃｅｓ  Ａｎｄ  Ｓｙｓｔｅｍ  Ａｓｐｅｃｔｓ；Ｐｒｏｖｉｓｉｏｎ  ｏｆ  Ｕｓｅｒ  Ｅｑｕｉｐｍｅｎｔ  Ｓｐｅｃｉｆｉｃ  Ｂｅｈａｖｉｏｒ  Ｉｎｆｏｒｍａｔｉｏｎ（ＵＥＳＢＩ）ｔｏ  ｎｅｔｗｏｒｋ  ｅｎｔｉｔｉｅｓ（リリース５）、２００９年９月」において特定されている。
【０１１３】
ＰＭＣが肯定応答メッセージ（ページング応答メッセージ）を受け取らない場合には、ＰＭＣは、タイマが終了したかどうかを、Ｓ４９０で判断する。タイマが終了していない場合には、タイマはＳ４９２において引き続き動作し、ＰＭＣは、Ｓ４８８において、肯定応答メッセージ（ページング応答メッセージ）を求めてＲＡＮのモニタを継続する。
【０１１４】
肯定応答メッセージがＰＭＣによって受け取られる場合には、この方法はＳ４９６において終了する。肯定応答メッセージがＳ４８８において受け取られず、タイマがＳ４９０で終了する場合には、ＰＭＣは、ＳＧＳＮ（ＵＭＴＳの場合）およびＭＭＥ（ＬＴＥの場合）によってＵＥに対して生成されたオリジナルのページング・メッセージを、ルーティング・エリア（ＵＭＴＳの場合）またはトラッキング・エリア・リスト（ＬＴＥの場合）に存在するがＯＴＡには存在しないセルに、Ｓ４９４において送信する。
【０１１５】
ＷｉＦｉアドホック・ネットワークを介するＣＨ更新の頻度がオリジナルのルーティング／トラッキング・エリア更新の頻度よりも高いために、ＰＭＣに記憶されているＯＴＡは、ルーティング・エリアまたはトラッキング・エリア・リストよりも著しく小さい。このように、修正されたページング・メッセージを受け取ったセルの数は、ルーティング・エリアまたはトラッキング・エリア・リストにおけるセルの数よりも著しく少ない。
【０１１６】
ＰＭＣがページ・メッセージを削減することを可能にするプロセスは、ＷｉＦｉアドホック・ネットワークを介するクラスタ・メンバーシップ・トラッキング・プロセスである。周期的に、アイドル状態にあるＵＥは、更新メッセージをそのクラスタ・ヘッド（ＣＨ）に送るために、そのＷｉＦｉインターフェースの動作を開始させる。
【０１１７】
以上で例示的実施形態について説明してきたが、同一のことを多くの方法で改変させることが可能であることは明らかであろう。そのような改変形態は、例示的実施形態の精神および範囲から逸脱するものと見なされるべきではなく、当業者にとって明らかであるようなそのような修正形態はすべて、特許請求の範囲の範囲内に含まれることが意図されている。
【図１】
0005828533.tif 000002
【図２Ａ】
0005828533.tif 000003
【図２Ｂ】
0005828533.tif 000004
【図３Ａ】
0005828533.tif 000005
【図３Ｂ】
0005828533.tif 000006
【図４Ａ】
0005828533.tif 000007
【図４Ｂ】
0005828533.tif 000008